(57)【特許請求の範囲】
【請求項１】
筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓は前記軸体の長手全長の中央部の内径寸法に略等しいかもしくは内径寸法よりも小さい幅寸法であることを特徴とする筆記具。
【請求項２】
前記透明の窓は、前記軸体外径の１．０〜２．０倍の長手寸法を有する請求項１記載の筆記具。
【請求項３】
筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓が、側面窓と、この側面窓に連接する全周窓とで形成されていることを特徴とする筆記具。
【請求項４】
筆記具の軸体を中空状になしてインキ収容部を形成し、このインキ収容部にインキを直接充填してなる筆記具において、前記軸体の長手全長の略中央部に軸体外径の１．０〜２．０倍の長手寸法を有する透明の窓を形成すると共に、前記透明の窓が、側面窓と、この側面窓に連接する全周窓とで形成されていることを特徴とする筆記具。
【請求項５】
前記軸体内のインキの後方にグリース状のインキ追従体、またはフロートを浸漬せしめたインキ追従体が配設されていることを特徴とする請求項１乃至４の何れかに記載の筆記具。
【請求項６】
前記グリース状のインキ追従体、またはフロートを浸漬せしめたインキ追従体が、筆記具の初使用の際、少なくとも前記透明の窓の後端を越える後方位置にあるよう前記インキが充填されていることを特徴とする請求項５に記載の筆記具。
【発明の詳細な説明】
【０００１】
【発明の属する技術分野】
本発明は、筆記具の軸体を中空状になしてインキ収容部を形成し、このインキ収容部にインキを直接充填してなる筆記具に関する。
【０００２】
【従来の技術】
筆記具の本体に直接インキを封入した筆記具において、筆記具本体の外周面に内部（インキ）を覗視するための帯状透明部を全長方向に沿って形成する構成が、特開平６−２４１９４号公報に開示されている。この公報には、本体全周面を透明にした場合、筆記具のインキが消耗された際にインキが無くなった部分に残る微量な残留インキも醜く目立ってしまうため、覗視のための透明部を帯状に長く形成して問題を解消する旨が記載されている。
【０００３】
しかしながら、インキの残量は、ある程度使用してから確認するのが通常であり、従って、全長にわたって覗視するための窓がある必要はないものである。インキ残量を確認する状況としては、筆記時、ペン先からどのくらいのインキがあるのかという見方で、ペン先を下向けにして確認することがほとんどであることから、その状況に対応できればよい。
【０００４】
また、窓の大きさに関しては、ごくわずかな大きさであることがより望ましい。インキ収容部の全長にわたって窓が設けられている必要はないものである。全長にわたって長く形成されていれば、前記のような残留インキ（インキ消費）の跡が汚れとして見えてしまうという問題が残るものである。
尚、筆記具の外観は、製品の品質上、重要な品質項目であり、筆記具の本体にはさまざまな装飾が加えられているのが通常であり、この点からも窓の大きさは、必要最小の大きさとすることが好ましい。
【０００５】
【発明が解決しようとする課題】
本発明は、直接インキを封入した筆記具軸体の外周面に内部を覗視するための窓を、インキの消費に伴う残留インキ（インキ消費）の跡が汚れとして見えてしまうという問題がなく、また、加飾された筆記具軸体の外観を損なうことのないよう、必要最小の形態に形成することを目的とする。
【０００６】
【課題を解決するための手段】
本発明は、上記問題点を解決するためになされたものであり、筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓は前記軸体の長手全長の中央部の内径寸法に略等しいかもしくは内径寸法よりも小さい幅寸法であることを第１の要旨とし、筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓が、側面窓と、この側面窓に連接する全周窓とで形成されていることを第２の要旨とし、筆記具の軸体を中空状になしてインキ収容部を形成し、このインキ収容部にインキを直接充填してなる筆記具において、前記軸体の長手全長の略中央部に軸体外径の１．０〜２．０倍の長手寸法を有する透明の窓を形成すると共に、前記透明の窓が、側面窓と、この側面窓に連接する全周窓とで形成されていることを第３の要旨とする。
【０００７】
【実施例】
添付図面に基づき実施例を説明する。図１に本発明の筆記具の外観を示し、説明する。軸体Ａには、インキ色を表示するインジケーターＢを固定したキャップＣが装着されている。キャップＣは、金属のクリップを有するが、不透明な樹脂製の射出成形品である。前記軸体Ａの長手全長の中央部には、軸体内部を覗視できる透明の窓Ｄが形成されている。図中斜線を施した部分が透明の窓Ｄである。軸体Ａは、窓Ｄの部分を除いては不透明な外観になっている。図２は前記キャップＣを外し、図１の軸体Ａを９０゜回転させた状態で視た外観図である。前記軸体Ａは、前軸１と後軸２と尾栓３からなり、先端部には金属や樹脂製のボールペンチップ４が固定されている。
【０００８】
図３に基づき実施例を詳細に説明する（図２よりも拡大し、部分断面で示し、透明の窓Ｄは正面から視た状態で示した）。
前記前軸１と後軸２と尾栓３はポリプロピレン樹脂製やポリエチレン樹脂製などの射出成形品であって後軸２の前方部分（以下、図示上方を前方、図示下方を後方という）には小径部２ａが設けられ、この小径部２ａにはスチレン系エラストマーやポリオレフィン系エラストマーなどのグリップ５が固着されている。尚、前記前軸１は半透明の射出成形品であり、後軸２は透明の射出成形品である。また、尾栓３は半透明であり、グリップ５は不透明に形成されている。
【０００９】
前記軸体Ａは、中空状であり、インキ収容部６が形成され、このインキ収容部６内には直接充填されたインキ７と、その後方にあってインキ７を軸体Ａ内に封止するグリース状のインキ追従体８が収容されている。尚、本例では、前記インキ追従体８にはフロート８ａが浸漬されている。また、前記後軸２の後部に圧入固定された尾栓３の後端部には空気流通孔３ａが設けられている。
【００１０】
前記後軸２は透明な射出成形品であるが、透明な窓Ｄの部分を除いては、周面全体がフィルム転写印刷やホットスタンプやシルク版印刷などの方法によって加飾されて不透明な外観になっており、内部のインキ７やインキ追従体８、フロート８ａは隠蔽されて外観に表れないようになっている。図３中、側面窓９の周囲、ハッチング模様の部分が加飾された部分である。軸体Ａの後部は図においては部分断面にて表示されているが、同様に不透明に加飾された外観になっている。
【００１１】
前記透明の窓Ｄについて説明する。透明の窓Ｄは、前記軸体Ａの長手全長の略中央部ないしは前方に、軸体Ａの外径の１．０〜２．０倍の長手寸法で形成されている。そして前記インキ７をこの透明の窓Ｄを通して覗視できるようになっている。透明の窓Ｄの長手寸法は、軸体Ａの内部のインキを覗視するためには軸体Ａの外径寸法よりも小さい寸法であっては視えにくいし、軸体Ａの外径寸法の２．０倍を超える寸法であっては、窓より、インキの消費に伴う残留インキ（インキ消費）の跡が汚れとして見えてしまう。
【００１２】
また、前記透明の窓Ｄは、前記軸体Ａの長手全長の中央部の内径寸法に略等しいかもしくは内径寸法よりも小さい幅寸法の側面窓９と、この側面窓９に連接する全周窓９ａとで形成されている。軸体Ａに不透明な装飾面を確実に形成する上で有利なためである。側面窓９は軸体Ａの対向する位置２面に配置されている。
尚、前記グリース状のインキ追従体、またはフロート８ａを浸漬せしめたインキ追従体８は、筆記具の初使用の時点で少なくとも前記透明の窓Ｄの後端を越える後方位置にあるように前記インキ７が充填されている。
【００１３】
次に、作用を説明する。前述の構成によれば、使用に当たり、側面窓９を通してインキ７の存在（有り無し）をはっきりと覗視することができる。また、全周窓９ａよりもインキ７を覗視することができる。更に、前記半透明の前軸１からも、側面窓９のようには明瞭には視えないものの、インキ７の存在を確認することができる。尚、前記透明の窓Ｄは、軸体Ａの外径の１．０〜２．０倍の必要最小の長手寸法に抑えられており、窓より、インキの消費に伴う残留インキ（インキ消費）の跡が汚れとして見えてしまうということもない。
【００１４】
尚、前記グリース状のインキ追従体、またはフロート８ａを浸漬せしめたインキ追従体８は、筆記具の初使用の時点で少なくとも前記透明の窓Ｄの後端を越える後方位置にあるように前記インキ７が充填されているので、使用前の段階では透明窓Ｄに表れることがない。また、通常、筆記具においては、インキ充填後、初使用までの間、わずかではあるがインキの経時減量を生じる場合があるが、この経時減量分を想定して透明の窓Ｄの後端位置を設定すれば、経時・経年の後であっても窓Ｄにインキ追従体が表れるようなことがない。
【００１５】
図４は前述の筆記具の使用終わり（使い切り）の状態を説明する部分断面図である。軸体Ａ内のインキが消費され、グリース状のインキ追従体８がボールペンチップ４の後方に達するとともに、フロート８ａが軸体Ａの長手全長の中央部に至り、透明の窓Ｄより覗視できる。インキが無くなったことが確認できる状態である。
【００１６】
以上のほかにも本発明の要旨を逸脱しないかぎりで種々なせる。窓Ｄの形状や数、配置は種々選択設定されてよいし、筆記具に限らず、同様の機構の塗布具に本発明を適用して同様の作用・効果を奏するものである。
【００１７】
【発明の効果】
本発明は、筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓は前記軸体の長手全長の中央部の内径寸法に略等しいかもしくは内径寸法よりも小さい幅寸法であることを第１の要旨とし、筆記具の軸体を中空状になしてインキ収容部を形成し、このインキ収容部にインキを直接充填してなる筆記具において、前記軸体の長手全長の略中央部ないしは前方に透明の窓を形成すると共に、その透明の窓が、側面窓と、この側面窓に連接する全周窓とで形成されていることを第２の要旨とし、筆記具の軸体を中空状になしてインキ収容部を形成し、このインキ収容部にインキを直接充填してなる筆記具において、前記軸体の長手全長の略中央部に軸体外径の１．０〜２．０倍の長手寸法を有する透明の窓を形成すると共に、前記透明の窓が、側面窓と、この側面窓に連接する全周窓とで形成されていることを第３の要旨としているので、インキの消費に伴う残留インキ（インキ消費）の跡が汚れとして見えてしまうという問題もなく、また、加飾された筆記具軸体の外観を損なうことなく、透明の窓より軸体内のインキの有り無しを覗視することができる。
【図面の簡単な説明】
【図１】  本発明の筆記具の外観を示す図。
【図２】  キャップを外した状態の外観図。
【図３】  詳細に説明する部分断面図。
【図４】  筆記具の使用終わり（使い切り）の状態を説明する部分断面図。
【符号の説明】
Ａ    軸体
Ｂ        インジケーター
Ｃ        キャップ
Ｄ        透明の窓
１    前軸
２    後軸
２ａ    小径部
３    尾栓
３ａ    空気流通孔
４    ボールペンチップ
５        グリップ
６    インキ収容部
７    インキ
８    インキ追従体
８ａ  フロート
９    側面窓
９ａ  全周窓
【図１】
0004724987.tif 000002
【図２】
0004724987.tif 000003
【図３】
0004724987.tif 000004
【図４】
0004724987.tif 000005